(57)【要約】【課題】メモリ部分から読み出されるデータの読み出し速度を速くすることができる表示装置を提供すること。【解決手段】本発明の表示装置は、サブフィールドコーディングされたデータを記憶するフィールドメモリ（１２）と、フィールドメモリ（１２）から読み出されたデータを一時的に記憶する一時的メモリ（２１）と、一時的メモリ（２１）から読み出されたデータを表示する表示部（１７）と、を具備する。本発明の表示装置は、フィールドメモリ（１２）から読み出したデータを一時的メモリ（２１）の一つのアドレスに書き込む第一の動作と、一時的メモリ（２１）のアドレス以外のアドレスからデータを読み出す第２の動作を、少なくとも１サブフィールドに１回は同時に行う。【選択図】  図１
2004341438.tif 000002
【特許請求の範囲】
【請求項１】
サブフィールドコーディングされたデータを記憶するフィールドメモリと、
前記フィールドメモリから読み出されたデータを一時的に記憶する一時的メモリと、
前記一時的メモリから読み出されたデータを表示する表示部と、
を具備し、
前記フィールドメモリから読み出したデータを前記一時的メモリの一つのアドレスに書き込む第一の動作と、前記一時的メモリの前記アドレス以外のアドレスからデータを読み出す第２の動作を、少なくとも１サブフィールドに１回は同時に行うことを特徴とする表示装置。
【請求項２】
前記一時的メモリへのデータの書き込み周期の平均値は、読み出し周期の平均値より長いことを特徴とする、
請求項１に記載された表示装置。
【請求項３】
前記一時的メモリへのデータ書き込み周期の最短値は、読み出し周期の最短値より長いことを特徴とする、
請求項１に記載された表示装置。
【請求項４】
前記一時的メモリからの１フィールドのデータ読み出し周期は一定でないことを特徴とする、
請求項１〜３の何れか一項に記載された表示装置。
【請求項５】
前記一時的メモリへの１フィールドのデータの書き込みは一定周期で連続的に行われることを特徴とする
請求項１〜４の何れか一項に記載された表示装置。
【請求項６】
前記一時的メモリからの１フィールドのデータの読み出しは１サブフィールド毎に行われ、前記表示部の走査期間の開始タイミングに同期して前記サブフィールドのデータの読み出しを開始することを特徴とする
請求項１〜５の何れか一項に記載された表示装置。
【請求項７】
前記一時的メモリに書き込まれているサブフィールドコーディングされた前記データのうち、既に読み出しが完了したデータがなくなったとき、一時的メモリへの書き込みを中断し、既に読み出しが完了したデータが発生したら、一時的メモリへの書き込みを再開することを特徴とする
請求項１〜４の何れか一項に記載された表示装置。
【請求項８】
前記一時的メモリへのデータ書き込みは、第一サブフィールドの開始タイミングおよび最終サブフィールドを除く各サブフィールドの走査時間の終了タイミングに同期して開始することを特徴とする、
請求項１〜４の何れか一項に記載された表示装置。
【請求項９】
サブフィールドコーディングされたデータを記憶するフィールドメモリと、
前記フィールドメモリから読み出された前記サブフィールドコーディングされたデータを一時的に記憶する一時的メモリと、
前記一時的メモリから読み出されたデータにより表示を行うプラズマ表示部と、
を具備することを特徴とする、
プラズマ表示装置。
【請求項１０】
前記一時的メモリへの１フィールドのデータの書き込みは、前記プラズマ表示部の１フィールドの表示シーケンス開始に同期して開始され、一定周期で連続的に行われることを特徴とする、
請求項９に記載されたプラズマ表示装置。
【請求項１１】
前記一時的メモリへのデータの書き込みは、前記プラズマ表示部のプライミング期間、または維持期間の少なくとも一部において行われることを特徴とする、請求項９に記載されたプラズマ表示装置。
【請求項１２】
サブフィールドに分割された映像データを記憶するフィールドメモリと、
前記フィールドメモリから読み出された映像データを一時的に記憶する一時的メモリと、
前記一時的メモリから読み出された映像データを表示する表示部と、
を具備し、
前記フィールドメモリからの読み出し速度より前記一時的メモリからの読み出し速度が速い、
表示装置。
【請求項１３】
前記一時的メモリは、前記フィールドメモリより容量が小さい、
請求項１２に記載された表示装置。
【請求項１４】
前記一時的メモリは、所定のデータの書き込み動作と別のデータの読み出し動作を同時に行うことができ、
前記一時的メモリから読み出されたデータは、前記一時的メモリ上で消去される、
請求項１２または１３に記載された表示装置。
【請求項１５】
前記表示部は、１フィールドデータが複数に分割されたサブフィールドを、１フィールドの表示時間を時分割して表示し、
前記サブフィールドは、放電期間であるプライミング期間と、走査期間と、維持期間とを含み、  前記フィールドメモリから前記一時的メモリへの書き込みは、少なくとも前記プライミング期間と前記維持期間の何れかの一部を含んで行われる、請求項１２〜１４の何れか１項に記載された表示装置。
【請求項１６】
前記一時的メモリへの書き込みは、同期信号もしくは時間的に前のサブフィールドの前記走査期間の完了から開始され、
前記一時的メモリへの書き込みは、１サブフィールド分のデータ転送の完了もしくは、前記一時的メモリに所定量のデータが転送されることで停止する、
請求項１５に記載された表示装置。
【請求項１７】
前記一時的メモリへの書き込みは、同期信号もしくは当該一時的メモリに所定量空きが生じたことにより開始され、
前記一時的メモリへの書き込みは、１サブフィールド分のデータ転送が完了すること、もしくは、前記一時的メモリに所定量のデータが転送されることで停止する、
請求項１５に記載された表示装置。
【請求項１８】
前記表示部は、プラズマ表示機構を具備する、
請求項１２〜１７の何れかに記載された表示装置。
【請求項１９】
前記フィールドメモリは、ＤＲＡＭを含み、
前記一時メモリは、ＳＲＡＭもしくはＡＳＩＣ・ゲートウェイ内のＲＡＭの少なくとも何れかを含む、
請求項１２〜１８の何れかに記載された表示装置。
【請求項２０】
サブフィールドコーディングされたデータをフィールドメモリに記憶するステップと、
前記フィールドメモリに記憶されたサブフィールドコーディングされた前記データを一時的メモリの一つのアドレスに書き込むステップと、
前記一時的メモリの前記アドレス以外のアドレスからデータの読み出しを前記書き込みと同時に行うステップと、
前記読み出されたデータにより表示部に表示を行うステップと、
を含むことを特徴とする表示装置における表示データの転送方法。
【発明の詳細な説明】
【０００１】
【発明の属する技術分野】
本発明は、表示装置に関し、特にサブフィールド方法を用いる多階調表示装置に関する。
【０００２】
【従来の技術】
従来、多階調表示プラズマディスプレイやＥＬ（電界発光ディスプレイ）が、平面型テレビジョン（ＴＶ）や情報表示ディスプレイ等に使用されている。プラズマディスプレイは、ガス放電により発生した紫外線で蛍光体を励起発光させることによって表示する。このようなプラズマディスプレイ等では、発光表示輝度の調整を電圧変調で行うことは困難である。このため、プラズマディスプレイでは発光・非発光の２値しか取れない。従って、輝度変調には発光回数を変える必要があり、階調を表示するためにサブフィールドシーケンスが用いられている。
【０００３】
サブフィールド方法は、階調性のある一枚の画像を、複数の２値表示画像に分解し高速で連続して表示し、視覚の積分効果により多階調の画像として再現するものである。すなわち、同じ画像上でも、複数に分割されたサブフィールドのうち、点灯時間がより多いサブフィールド（重み付けの大きいサブフィールド）で点灯させた位置の輝度が高くなり、点灯時間がより少ないサブフィールド（重み付けの小さいサブフィールド）で点灯させた位置の輝度が低くなる。さらに、重み付けの異なる任意の複数のサブフィールドで点灯させることにより輝度の階調を表示することができる。
【０００４】
図９は、従来のサブフィールド方法による駆動シーケンスを説明するための図である。  図９は、一番上に垂直同期信号Ｖ１００、その下に１フィールドシーケンス、その下にフィールドメモリからデータ読み出し回路への転送の転送速度を示す。図９は、左側から右側へ時間の経過を示す。図９は、１つのフィールド（１画像）について記載している。
【０００５】
この駆動シーケンスは、２５６階調の画像を８サブフィールド（ＳＦ）で表現している。画像輝度信号データを、１、２、４、８、１６、３２、６４、１２８の比率のバイナリコードでデジタル化し、最下位の階調ビットをＳＦ１、２番目の階調ビットをＳＦ２、…、最上位の階調ビットをＳＦ８とする。
各サブフィールドは、プライミング期間Ｐ、走査期間ＳＣと維持期間ＨＯに分けられている。
【０００６】
図９の各サブフィールドの始めの部分は、プライミング期間Ｐと呼ばれ、走査期間ＳＣの書き込みを安定させる予備放電期間である。各サブフィールド（１ＳＦ〜８ＳＦ）におけるプライミング期間Ｐは概ね一定である。
【０００７】
プライミング期間Ｐの次の部分は、走査期間ＳＣと呼ばれ、プラズマディスプレイの１ドットずつの発光・非発光を順に走査しながら決める期間である。各サブフィールド（１ＳＦ〜８ＳＦ）における走査期間ＳＣは概ね一定である。なお、各サブフィールド（１ＳＦ〜８ＳＦ）における走査期間ＳＣが異なる長さに設定されることもある。
【０００８】
走査期間ＳＣの次の部分は、維持期間ＨＯと呼ばれ、走査期間ＳＣで決められた発光部分を、各々の階調ビットに応じ、所定の輝度を与える維持パルス回数で光らせる期間である。各サブフィールド（１ＳＦ〜８ＳＦ）における維持期間ＨＯは、階調ビットの比率（重み）により異なる。
【０００９】
実用のフルカラー表示のプラズマディスプレイでは、輝度ビットの配置が２５６階調を表示するのに８サブフィールド以上（例えば、１０や１２サブフィールド）を使用する色々な方法が、検討され実用化されている。
【００１０】
なお、図９において「フィールドメモリからデータ読み出し回路への転送」の項では、立ち上がっている（Ｈｉｇｈ）期間に、後述する図８のフィールドメモリ１１２から映像信号を読み出していることを示している。そして、高さ方向は、転送速度を示す。
【００１１】
図８は、従来のサブフィールド方法を用いる多階調表示プラズマディスプレイの駆動装置の構成を示すブロック図である。多階調表示プラズマディスプレイの駆動装置１１０は、データ並び替え回路１１１、フィールドメモリ１１２、データ読み出し回路１１３、フィールドシーケンス発生回路１１４、駆動回路１１５を具備する。
【００１２】
ここでは、駆動装置における走査期間ＳＣに関するブロックを説明する。
入力端子１１６から供給される映像信号は、データ並び替え回路１１１で、パネルを駆動するのに適した順番に並び変えられる。データ並び替え回路１１１で並び替えられた映像データは、書き込みデータＤ１０１としてフィールドメモリ１１２に記憶される。
【００１３】
フィールドシーケンス発生回路１１４は、図９で示された駆動シーケンスＳ１０４を生成する。フィールドシーケンス発生回路１１４は、駆動シーケンスＳ１０４をデータ読み出し回路１１３および駆動回路１１５に出力する。
【００１４】
データ読み出し回路１１３が、駆動シーケンスＳ１０４に従って、フィールドメモリ１１２から読み出しデータＤ１０２を読み出す。データ読み出し回路１１３は、フィールドメモリ１１２に制御信号Ｓ１０１を送信して所定のデータの読み出しを行う。読み出しデータＤ１０２は、書き込みデータＤ１０１の入力とは非同期に読み出される。
【００１５】
データ読み出し回路１１３は、フィールドメモリ１１２から読み出した読み出しデータＤ１０２を、駆動シーケンスＳ１０４の走査期間ＳＣに、サブフィールド（ＳＦ）対応データＤ１０４として、プラズマディスプレイパネル１１７に出力する。
【００１６】
図３は、入力される映像信号とプラズマディスプレイで表示する映像信号の概念図である。
プラズマディスプレイパネル１１７は、発光或いは非発光の２値しかないことから、ＴＶ画像やパーソナルコンピュータ（ＰＣ）画像等を表示するために発光時間（回数）を制御し、重み付けによるサブフィールド方法を用いて階調表示を行っている。
そのため、データ並び替え回路１１１とフィールドメモリ１１２は、プラズマディスプレイパネル１１７で表示できるように、水平同期信号Ｈ１００と垂直同期信号Ｖ１００による走査方式の映像信号（ａ）を、サブフィールド別、言い換えると重み付け別に並べ換える（ｂ）。
【００１７】
プラズマディスプレイの輝度向上のために図９における維持期間ＨＯを長くすることが好ましい場合がある。さらに、画質向上のためにサブフィールド数を増加することが好ましい場合がある。
このため、１フィールドの表示時間を一定とすると、走査期間ＳＣを短くする必要が生じる場合がある。このため、フィールドメモリ１１２からの映像データの読み出し速度を高く設定することが望まれる。
【００１８】
また、プラズマディスプレイパネル１１７の高解像度化に伴い、表示ライン数が増加している。このため、画面を表示するための走査期間ＳＣの必要時間が長くなる。しかし、駆動全体の時間を、決められた１フィールドの時間内に収める必要があることから、各サブフィールドの走査期間ＳＣを長くすることが難しい。このため、フィールドメモリ１１２からの読み出し速度が速くなることが望ましい。
【００１９】
維持期間ＨＯを長くする場合、サブフィールド数を増やす場合、もしくは、表示ライン数を増やす場合、フィールドメモリ１１２からの読み出し速度を上げることが望ましい。
さらに、フィールドメモリ１１２からの読み出し速度を上げることで、フィールドメモリ１１２から読み出すデータタイミングのマージンが確保できることが望ましい。
しかし、フィールドメモリ１１２からの読み出し速度を上げることには限界がある。
【００２０】
例えば、伝送距離が長く、転送速度を低く抑えなければならない多階調表示プラズマディスプレイの構造の特性上、データ読み出し回路１１３とプラズマディスプレイパネル１１７にある後述する図４のデータドライバ（３３）を接続する伝送線数は多数必要である。
全画素数を１つのＩＣで実現するには、チップサイズ・発熱・プラズマディスプレイパネルへの全データライン線の引き出しが困難なため、データドライバは、通常、あるデータライン何本かを担当するＩＣを何十個並べる構成となる。例えば、９６出力のデータドライバを用い、デュアルスキャンの１０２４×７６８のＸＧＡパネルを想定すると、９６出力データドライバの必要数は、水平画素数×３原色（Ｒ、Ｇ、Ｂ）から、１０２４×３÷９６＝３２個となる。デュアルスキャンのため、プラズマパネルの上下にデータドライバを配置しなければならないので、３２×２＝６４個となる。そして、１つのデータドライバに送る伝送線が２本必要とすると、全体の必要伝送線は、１２８本となる。また、伝送速度は、走査周期１μｓに対して、９６出力データドライバ１つに２本の線で信号を送るので、１÷（１μｓ÷（９６÷２））＝４８ＭＨｚとなる。
【００２１】
一方、フィールドメモリ１１２に用いるＤＲＡＭ等のメモリは、多くて３２本の入出力ピンとなっている。デュアルスキャンの１０２４×７６８のＸＧＡパネル、信号線２本の９６出力データドライバで、全画面の必要伝送信号線数が１２８本、走査周期１μｓ、転送速度４８ＭＨｚを想定すると、３２入出力のＤＲＡＭ１個を用いる場合、１２８÷３２×４８＝１９２ＭＨｚ必要となる。
また、メモリの入出力ピンの本数を増やすには、少量のメモリサイズのフィールドメモリ１１２を選択し、メモリ数を増やす必要があるが、実際のＤＲＡＭ等のフィールドメモリ１１２は、入出力ピンの本数を変えずに、高容量化の道を進んでいる。１フィールドにおいてフィールドメモリ１１２として必要な容量は、１０２４×７６８のＸＧＡパネルで、最大１２サブフィールドを想定すると、１０２４×７６８×３×１２＝２８３１１５５２ｂｉｔ、３．３７５ＭＢｙｔｅとなる。
さらに、サブフィールドシーケンスの構成上、２フィールド分のフィールドメモリを備えることが好ましい。
【００２２】
マトリックス型ディスプレイパネルの各画素についての１画面表示期間を表示階調に対応したビット数Ｎ（Ｎは２以上の整数）の表示期間に時分割し、このＮ個の分割表示期間に各ビットに対応した重み付けをすることによって中間調画像を表示する方法において、前記Ｎ個の分割表示期間の時系列配列を、重み付けの小さい分割表示期間が時系列的に分散する配列に形成してなることを特徴とするマトリックス型ディスプレイパネルの中間調画像表示方法が開示されている（例えば特許文献１）。
【００２３】
【特許文献１】
特開平０６−２５９０３３号公報
【００２４】
【発明が解決しようとする課題】
本発明の目的は、メモリ部分から読み出されるデータの読み出し速度を速くすることができる表示装置を提供することにある。
本発明の他の目的は、フィールドメモリからの読み出し速度を抑えることができる表示装置を提供することにある。
本発明の他の目的は、維持期間を長くすること、サブフィールド数を増やすこと、もしくは、表示ライン数を増やすことができる表示装置を提供することにある。
【００２５】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００２６】
本発明の表示装置は、サブフィールドコーディングされたデータを記憶するフィールドメモリ（１２）と、フィールドメモリ（１２）から読み出されたデータを一時的に記憶する一時的メモリ（２１）と、一時的メモリ（２１）から読み出されたデータを表示する表示部（１７）と、を具備する。
本発明の表示装置は、フィールドメモリ（１２）から読み出したデータを一時的メモリ（２１）の一つのアドレスに書き込む第一の動作と、一時的メモリ（２１）のアドレス以外のアドレスからデータを読み出す第２の動作を、少なくとも１サブフィールドに１回は同時に行う。
【００２７】
本発明の表示装置において、一時的メモリ（２１）へのデータの書き込み周期の平均値は、読み出し周期の平均値より長い。
【００２８】
本発明の表示装置において、一時的メモリ（２１）へのデータ書き込み周期の最短値は、読み出し周期の最短値より長い。
【００２９】
本発明の表示装置において、一時的メモリ（２１）からの１フィールドのデータ読み出し周期は一定でない。
【００３０】
本発明の表示装置において、一時的メモリ（２１）への１フィールドのデータの書き込みは一定周期で連続的に行われる。
【００３１】
本発明の表示装置において、一時的メモリ（２１）からの１フィールドのデータの読み出しは１サブフィールド毎に行われ、表示部（１７）の走査期間の開始タイミングに同期してサブフィールドのデータの読み出しを開始する。
【００３２】
本発明の表示装置において、一時的メモリ（２１）に書き込まれているサブフィールドコーディングされたデータのうち、既に読み出しが完了したデータがなくなったとき、一時的メモリ（２１）への書き込みを中断し、既に読み出しが完了したデータが発生したら、一時的メモリ（２１）への書き込みを再開する。
【００３３】
本発明の表示装置において、一時的メモリ（２１）へのデータ書き込みは、第一サブフィールドの開始タイミングおよび最終サブフィールドを除く各サブフィールドの走査時間の終了タイミングに同期して開始される。
【００３４】
本発明のプラズマ表示装置は、サブフィールドコーディングされたデータを記憶するフィールドメモリ（１２）と、フィールドメモリ（１２）から読み出されたサブフィールドコーディングされたデータを一時的に記憶する一時的メモリ（２１）と、一時的メモリ（２１）から読み出されたデータにより表示を行うプラズマ表示部（１７）と、を具備する。
【００３５】
本発明のプラズマ表示装置において、一時的メモリ（２１）への１フィールドのデータの書き込みは、プラズマ表示部（１７）の１フィールドの表示シーケンス開始に同期して開始され、一定周期で連続的に行われる。
【００３６】
本発明のプラズマ表示装置において、一時的メモリ（２１）へのデータの書き込みは、プラズマ表示部（１７）のプライミング期間、または維持期間の少なくとも一部において行われる。
【００３７】
本発明の表示装置は、サブフィールドに分割された映像データを記憶するフィールドメモリ（１２）と、フィールドメモリ（１２）から読み出された映像データを一時的に記憶する一時的メモリ（２１）と、一時的メモリ（２１）から読み出された映像データを表示する表示部（１７）と、を具備する。
フィールドメモリ（１２）からの読み出し速度より一時的メモリ（２１）からの読み出し速度が速い。
【００３８】
一時的メモリ（２１）は、フィールドメモリ（１２）より容量が小さい。
【００３９】
本発明の表示装置において、一時的メモリ（２１）は、所定のデータの書き込み動作と別のデータの読み出し動作を同時に行うことができ、一時的メモリ（２１）から読み出されたデータは、一時的メモリ（２１）上で消去される。
【００４０】
本発明の表示装置において、表示部（１７）は、１フィールドデータが複数に分割されたサブフィールドを、１フィールドの表示時間を時分割して表示する。
サブフィールドは、放電期間であるプライミング期間と、走査期間と、維持期間とを含む。
フィールドメモリ（１２）から一時的メモリ（２１）への書き込みは、少なくともプライミング期間と維持期間の何れかの一部を含んで行われる。
【００４１】
本発明の表示装置において、一時的メモリ（２１）への書き込みは、同期信号もしくは時間的に前のサブフィールドの走査期間の完了から開始される。
一時的メモリ（２１）への書き込みは、１サブフィールド分のデータ転送の完了もしくは、一時的メモリ（２１）に所定量のデータが転送されることで停止する。
【００４２】
本発明の表示装置において、一時的メモリ（２１）への書き込みは、同期信号もしくは当該一時的メモリ（２１）に所定量の空きが生じたことにより開始される。
一時的メモリ（２１）への書き込みは、１サブフィールド分のデータ転送が完了すること、もしくは、一時的メモリ（２１）に所定量のデータが転送されることで停止する。
【００４３】
本発明の表示装置の表示部（１７）は、プラズマ表示機構を具備する。
【００４４】
本発明の表示装置のフィールドメモリ（１２）は、ＤＲＡＭを含み、一時的メモリ（２１）は、ＳＲＡＭもしくはＡＳＩＣ・ゲートウェイ内のＲＡＭの少なくとも何れかを含む。
【００４５】
本発明の表示装置における表示データの転送方法は以下のステップを含む。
サブフィールドコーディングされたデータをフィールドメモリ（１２）に記憶するステップ。
フィールドメモリ（１２）に記憶されたサブフィールドコーディングされたデータを一時的メモリ（２１）の一つのアドレスに書き込むステップ。
一時的メモリ（２１）のアドレス以外のアドレスからデータの読み出しを書き込みと同時に行うステップ。
読み出されたデータにより表示部（１７）に表示を行うステップ。
【００４６】
【発明の実施の形態】
次に、本発明の実施の形態について図面を参照して以下に説明する。
図１は、多階調表示プラズマディスプレイの駆動装置１０の構成を示すブロック図である。多階調表示プラズマディスプレイの駆動装置１０は、データ並び替え回路１１、フィールドメモリ１２、データ読み出し回路１３、フィールドシーケンス発生回路１４、駆動回路１５、および一時的メモリ２１を具備する。
【００４７】
駆動装置１０には、入力端子１６から、映像データおよび水平同期信号Ｈ１および垂直同期信号Ｖ１が入力される。これらの信号は、データ並び替え回路１１に入力される。また、垂直同期信号Ｖ１は、フィールドシーケンス発生回路１４に入力される。
【００４８】
データ並び替え回路１１は、入力端子１６と接続される。入力端子１６からデータ並び替え回路１１へ、映像データと水平同期信号Ｈ１と垂直同期信号Ｖ１が入力される。
データ並び替え回路１１は、水平同期信号Ｈ１と垂直同期信号Ｖ１による走査方式の映像データを、サブフィールド毎に、言い換えると重み付け別に並べ換える。データ並び替え回路１１は、サブフィールド毎の映像データを、プラズマディスプレイパネル１７を駆動するのに適した順番に並び変える。
データ並び替え回路１１は、フィールドメモリ１２へ、サブフィールド毎に並べ替えた映像データを、書き込みデータＤ１として出力する。
【００４９】
フィールドメモリ１２は、データ並び替え回路１１から入力された書き込みデータＤ１を保存する。さらに、一時的メモリ２１からの制御信号Ｓ１に応答して、入力とは非同期に、一時的メモリ２１に読み出しデータＤ２を出力する。
【００５０】
フィールドシーケンス発生回路１４は垂直同期信号Ｖ１を受信して、駆動シーケンスＳ４を生成する。フィールドシーケンス発生回路１４は、データ読み出し回路１３および駆動回路１５に駆動シーケンスＳ４を出力する。さらに、フィールドシーケンス発生回路１４は、コントロール信号Ｓ３を生成し、一時的メモリ２１へ出力する。
【００５１】
一時的メモリ２１は、フィールドシーケンス発生回路１４からのコントロール信号Ｓ３に応答して、プライミング期間や維持期間などの直接プラズマディスプレイパネルにデータを書き込む走査期間以外の期間にも、次のサブフィールドの走査期間のデータを選択し、フィールドメモリ１２から読み出し、記憶する。このため、フィールドメモリ１２から一時的メモリ２１への読み出しは、走査期間に限定されず、走査期間より長い期間で読み出しができる。このため、フィールドメモリ１２からの読み出し速度を、走査期間のみで読み出すより遅くすることができる。
さらに、一時的メモリ２１は、コントロール信号Ｓ３もしくはデータ読み出し回路１３からの制御信号Ｓ２に応答して、読み出しデータＤ３をデータ読み出し回路１３へ出力する。一時的メモリ２１からデータ読み出し回路１３へのデータの読み出しは、概ね走査期間に行われる。従って、一時的メモリ２１へ入力される信号の伝送速度より、一時的メモリ２１から出力される信号の速度が速い場合がある。
さらに、一時的メモリ２１は、書き込みアドレスと読み出しアドレスをそれぞれ有し、書き込みと同時に読み出しを行うことができる。一時的メモリ２１は、２ポートのＳＲＡＭに例示される。
また、一時的メモリ２１は、データの入出力幅を、フィールドメモリ１２より広くすることができる。
【００５２】
データ読み出し回路１３は、フィールドシーケンス発生回路１４から受信する駆動シーケンスＳ４に応答して、制御信号Ｓ２を一時的メモリ２１に出力し、一時的メモリ２１から読み出しデータＤ３を読み出す。
データ読み出し回路１３は、読み出しデータＤ３をサブフィールド（ＳＦ）対応データＤ４としてプラズマディスプレイパネル１７に出力する。
データ読み出し回路１３からプラズマディスプレイパネル１７へのサブフィールド（ＳＦ）対応データＤ４の出力は、プラズマディスプレイの走査期間に行われる。
【００５３】
駆動回路１５は、フィールドシーケンス発生回路１４から受信する駆動シーケンスＳ４に従って、駆動信号Ｓ５をプラズマディスプレイパネル１７に出力する。
プラズマディスプレイパネル１７は、データ読み出し回路１３と駆動回路１５に接続されている。プラズマディスプレイパネル１７は、データ読み出し回路１３から受信するサブフィールド対応データＤ４と、駆動回路１５から受信する駆動信号Ｓ５により、画像を映し出す。
【００５４】
上記のように、フィールドメモリ１２とデータ読み出し回路１３の間に一時的メモリ２１を介設し、フィールドメモリ１２から一時的メモリ２１への読み出しを走査期間以外にも行うことでフィールドメモリ１２からの読み出し速度を抑えることができる。さらに、読み出し速度の速い一時的メモリ２１や読み出しデータ幅の広い一時的メモリ２１を使用することで、サブフィールド数の増加、維持期間の延長、もしくは、表示ライン数の増加により求められる走査期間の短縮に対応することができる。
【００５５】
次に、図２を参照してデータ転送のタイミングが説明される。
図２は、サブフィールド方法による駆動シーケンスの概略を示す図である。
図２は、一番上に「垂直同期信号Ｖ１」の波形、その下に「１フィールドシーケンス」、その下に「フィールドメモリから一時的メモリへの転送」の転送速度を示す波形、その下に「一時的メモリからデータ選択回路への転送」の転送速度を示す波形を示す。図２は、左側から右側へ時間の経過を示す。図２は、１つのフィールド（１画像）について記載している。
【００５６】
この駆動シーケンスは、２５６階調の画像（フィールド）を８サブフィールド（ＳＦ）に分割している。画像輝度信号データを、１、２、４、８、１６、３２、６４、１２８の比率のバイナリコードでデジタル化し、最下位の階調ビットをＳＦ１、２番目の階調ビットをＳＦ２、…、最上位の階調ビットをＳＦ８とする。
各サブフィールドは、プライミング期間Ｐ、走査期間ＳＣと維持期間ＨＯに分けられている。
【００５７】
図２の各サブフィールド（１ＳＦ〜８ＳＦ）の始めの部分は、プライミング期間Ｐと呼ばれ、走査期間ＳＣの書き込みを安定させる予備放電期間である。各サブフィールド（１ＳＦ〜８ＳＦ）におけるプライミング期間Ｐは概ね一定である。
【００５８】
プライミング期間Ｐの次の部分は、走査期間ＳＣと呼ばれ、プラズマディスプレイの１ドットずつの発光・非発光を順に走査しながら決める期間である。
各サブフィールド（１ＳＦ〜８ＳＦ）における走査期間ＳＣは概ね一定である。なお、各サブフィールド（１ＳＦ〜８ＳＦ）における走査期間ＳＣが異なる長さに設定される場合もある。
【００５９】
走査期間ＳＣの次の部分は、維持期間ＨＯと呼ばれ、走査期間ＳＣで決められた発光部分を、各々のサブフィールドの階調ビットに応じ、所定の輝度を与える維持パルス回数で光らせる期間である。各サブフィールド（１ＳＦ〜８ＳＦ）における維持期間ＨＯは、階調ビットの比率（重み）により異なる。具体的には、１ＳＦの重み付けは１、２ＳＦの重み付けは２、３ＳＦの重み付けは４、…８ＳＦの重み付けは１２８である。
【００６０】
図２の各サブフィールド（１ＳＦ〜８ＳＦ）は、重み付けの小さい順に並べられているが、各サブフィールドの並べ方は他の方法でも良い。
【００６１】
実用のフルカラー表示のプラズマディスプレイでは、輝度ビットの配置が２５６階調を表示するのに８サブフィールド以上（例えば、１０や１２サブフィールド）を使用する方法を使用する場合がある。
【００６２】
なお、図２において「フィールドメモリから一時的メモリへの転送」および「一時的メモリからデータ選択回路への転送」の波形で、立ち上がっている（Ｈｉｇｈ）期間、映像データの転送が行われていることを示す。そして、高さ方向は、転送速度を示す。
【００６３】
図２に示されるように、「フィールドメモリから一時的メモリへの転送」において、一時的メモリ２１は、走査期間に加えプライミング期間や、維持期間にもフィールドメモリ１２から、各データドライバに合う出力信号を読み出し、記憶する。
そして、サブフィールドの走査期間ＳＣが始まると、「一時的メモリからデータ選択回路への転送」の波形で示されるように、一時的メモリ２１から映像データが読み出され、データ読み出し回路１３に出力される。
従って、走査期間にのみフィールドメモリ１２からデータが読み出される場合よりフィールドメモリ１２からの読み出し期間が長くなり、フィールドメモリ１２から読み出す速度を遅く設定できるということが可能となる。
このため、本発明を用いれば、フィールドメモリ１２からの映像データの読み出し速度が速くなることを抑えることができる。
また、動作速度を低減できるため、フィールドメモリ１２から読み出すタイミングマージンを多く取れるようになる。
なお、図２の「フィールドメモリから一時的メモリへの転送」と「一時的メモリからデータ読み出し回路への転送」におけるＨｉｇｈ期間を示す時間と転送速度の積（面積）は等しくなる。これは、転送されるデータ量は同じ為である。
【００６４】
図３は、入力される映像信号とプラズマディスプレイで表示する映像信号の概念図である。プラズマディスプレイパネル１７は、発光或いは非発光の２値しかないことから、ＴＶ画像やパーソナルコンピュータ（ＰＣ）画像等を表示するために発光時間（回数）を制御し、重み付けによるサブフィールド方法を用いて階調表示を行っている。その為、データ並び替え回路１１とフィールドメモリ１２は、プラズマディスプレイパネル１７で表示できるように、水平同期信号Ｈと垂直同期信号Ｖによる走査方式の映像信号（ａ）を、サブフィールド別、言い換えると重み付け別に並べ換えている（ｂ）。このようにサブフィールド別に分けて並び替えを行うことをサブフィールドコーディングという場合がある。
【００６５】
図４は、プラズマディスプレイパネル１７の概略構成図を示す。
図４に示されるように、プラズマディスプレイパネル１７は、走査ドライバ３１、共通ドライバ３２およびデータドライバ３３の各ドライバを備える。プラズマディスプレイパネル１７は、ｍ行×ｎ列に表示セル３４を配列したドットマトリクス表示用のパネルを具備する。パネルの列方向には、赤、緑、青に発光する表示セル３４が配置されている。
行電極としては、互いに平行に配置した走査電極ＳＣ１、ＳＣ２、…、ＳＣｍおよび共通電極ＳＵ１、ＳＵ２、…、ＳＵｍを備える。列電極としては、これら走査電極および共通電極と直交して配列したデータ電極Ｄ１、Ｄ２、…、Ｄｎを備える。
走査電極に、走査ドライバ３１が走査電極駆動波形を生成して印加する。
共通電極に、共通ドライバ３２が共通電極駆動波形を生成して印加する。
データ電極に、データドライバ３３がデータ電極駆動波形を生成して印加する。これら走査ドライバ３１および共通ドライバ３２に駆動信号を与えるのが、駆動回路１５である。また、データドライバ３３には、データ読み出し回路１３が、サブフィールド対応データＤ４を与える。
【００６６】
図５は、プラズマディスプレイパネル１７を駆動する駆動波形を示す。
図５は、１サブフィールドにおける共通電極駆動波形ＳＵｘ、走査電極駆動波形ＳＣ１〜ＳＣｍ、データドライバ３３のデータ電極Ｄｙのデータパルスのタイミングを示している。
プラズマディスプレイパネル１７を駆動する駆動波形は、駆動回路１５から出力される駆動信号Ｓ５およびデータ読み出し回路１３から出力されるサブフィールド対応データＤ４から作成される。
【００６７】
本例の、一時的メモリ２１の容量は、１サブフィールド分の映像データを保持する容量を考慮している。例えば、１０２４×７６８のＸＧＡパネルを想定すると、１サブフィールドに必要な容量は、画面サイズ×３原色（Ｒ、Ｇ、Ｂ）から、１０２４×７６８×３＝２３５９２９６ｂｉｔ、２８８Ｋｂｙｔｅとなり、一時的メモリのサイズは２８８Ｋｂｙｔｅ必要となる。
一時的メモリについては、ＳＲＡＭチップを用いて構成する方法や、ＡＳＩＣ・Ｇ／Ａ内のＲＡＭメモリを用いて構成する方法が可能である。
なお、一時的メモリ２１は、一つのブロックとして記載されているが、一時的メモリ２１とデータ読み出し回路１３とをまとめ、データ読み出し回路１３が出力するデータドライバＤｎ毎にブロック化されたメモリ群としても良い。
【００６８】
本発明は、「従来の技術」で述べたように、入出力ピンの本数が決まっていて、高容量化の道を進んでいるＤＲＡＭによって実現されるフィールドメモリ１２の数を増やさず、多階調プラズマディスプレイに特有に使用されるサブフィールドを用いる方法に注目し、１サブフィールドの全部あるいは、その一部分を保存するような一時的なメモリを付加する方式としている。
【００６９】
本発明の他の実施例として、データ転送方法を図６、図７に示す。図６および図７の構成は図２と同様であるので説明は省略される。また、図６、図７は後述する可変走査周期を採用している。
【００７０】
図６では、１サブフィールドの映像データを、一時的メモリ２１に読み出し始めるタイミングが、垂直同期信号Ｖ１後か、走査期間ＳＣの終了後に設定されている。この場合、１サブフィールドの映像データの読み出しが完了するか、一時的メモリ２１に空きが無くなれば一時的メモリ２１への読み出しは停止する。
このため、フィールドメモリ１２から一時的メモリ２１への読み出し期間は、前のサブフィールドの維持期間ＨＯと、当該サブフィールドのプライミング期間Ｐと走査期間ＳＣの一部を使用することができる。
【００７１】
図７は、１サブフィールドの映像データを、一時的メモリ２１に読み出し始めるタイミングが、垂直同期信号Ｖ１後か、一時的メモリ２１に空きが発生した時に設定されている。この場合、１サブフィールドの映像データの読み出しが完了するか、一時的メモリ２１に空きが無くなれば一時的メモリ２１の読み出しは停止する。
このため、フィールドメモリ１２から一時的メモリ２１への読み出し期間は、前のサブフィールドの走査期間の一部と維持期間と、当該サブフィールドのプライミング期間と走査期間の一部を使用することができる。
【００７２】
これら図６、図７の方法では、フィールドメモリ１２から、一時的メモリ２１にデータを読み込む期間は、一時的メモリ２１の容量とフィールドメモリ１２から読み込む速度と、プラズマディスプレイ１７に書き込みを行う走査周期によって、決定される。
【００７３】
近年のプラズマディスプレイは、高精細化、輝度の確保、動画偽輪郭処理のための映像データの冗長化、すなわち、８ｂｉｔ信号を１２サブフィールドで実現する等を行なっており、１フィールドの時間は、入力端子１６に入力される映像信号によって決まる。このため、サブフィールド構成の時間確保が困難になっている。このため、各サブフィールド毎に走査周期を変える、可変走査周期が採用され、対応している。可変走査周期を採用しているサブフィールド構成は、１フィールドの先頭側のサブフィールドにおいては、走査周期の書き込みを確実に行う必要があるため、走査周期は遅い傾向があり、後ろのサブフィールドに行くほど走査周期が早くなる。また、映像データの重みを昇順のサブフィールド構成で実現する場合、１フィールドの先頭側の維持期間は短く、後ろに行くほど維持期間が長くなる。
【００７４】
この関係を利用して、例えば、一時的メモリ２１の容量を、１サブフィールドの映像データをフィールドメモリ１２からデータ読み出し回路１３にデータの欠落がないように転送するのに必要な容量とし、フィールドメモリ１２から、一時的メモリ２１にデータを転送する速度は、データ読み出し回路１３からプラズマディスプレイ１７に書き込みデータを送るのと同じとすると、この一時的メモリ２１を用いたフィールドメモリ１２からの映像読み出しの動作のタイミングは次のようになる。
すなわち、プラズマディスプレイ特有のプライミング期間、維持期間等を用い、フィールドメモリ１２から映像データを読み出し、一時的メモリ２１に記憶する。一時的メモリ２１が読み出しデータによって、満たされると、フィールドメモリ１２から一時的メモリ２１への読み出し動作を中断する。プラズマディスプレイに書き込む走査期間が始まり、一時的メモリ２１から１ライン分の書き込みデータが出力され、一時的メモリ２１に空きが生じると、フィールドメモリ１２から一時的メモリ２１への読み出しを再開する。また、再開後、走査周期より早くフィールドメモリ１２から一時的メモリ２１にデータを読み出し終え、一時的メモリ２１がデータによって、満たされた場合、フィールドメモリ１２から一時的メモリ２１への読み出し動作を停止する。
以上のように、一時的メモリ２１が満たされた場合、フィールドメモリ１２から一時的メモリ２１への読み出し動作を中断するという動作となる。
【００７５】
このようにすることにより、フィールドメモリ１２から、一時的メモリ２１に送るデータ転送速度が、サブフィールド１（ＳＦ１）の走査周期と同じでも、可変走査周期によって、１フィールドの後ろ側のサブフィールドの走査期間が早くなっても（例えば、ＳＦ８）、問題なく、プラズマディスプレイの走査期間に、映像データを転送することができる。
【００７６】
また、フィールドメモリ１２から一時的メモリ２１への転送速度を、映像データが欠落しないように、可変とすることも可能である。
【００７７】
この実施例の、一時的メモリ２１は、フィールドメモリ１２からサブフィールドに合った映像データを読み込む速度と、走査期間の走査周期との兼ね合いで、容量を調整できる。走査周期の最高スピードを１μｓ（図６、ＳＦ８）、フィールドメモリ１２から１ラインのデータを読み込む時間を最高２μｓ（図６、ＳＦ１）とし、走査周期１μｓの走査期間の前サブフィールドの維持期間（図６、ＳＦ７）、走査周期１μｓの走査期間のサブフィールドのプライミング期間（図６、ＳＦ８）に一時的メモリ２１の容量を全て満たしているので、一時的メモリのサイズは、１サブフィールドの半分の容量にできる。例えば、１０２４×７６８のＸＧＡパネルを想定すると、１サブフィールドに必要な容量は、画面サイズ×３原色（Ｒ、Ｇ、Ｂ）から、１０２４×７６８×３＝２３５９２９６ｂｉｔ、２８８Ｋｂｙｔｅとなり、一時的メモリ２１のサイズは１４４Ｋｂｙｔｅとなる。  また、このような１サブフィールドの半分の容量で実現できる場合、「従来の技術」で述べたＤＲＡＭ等のフィールドメモリの転送速度が１９２ＭＨｚ必要な表示装置に適用すれば、半分の９６ＭＨｚでフィールドメモリから読み出すことが可能となり、１００ＭＨｚのＳＤＲＡＭを用いて実現できるようになる。
このように、フィールドメモリ１２からサブフィールドに合った映像データを読み込む速度と、走査期間の走査周期との関係から一時的メモリ２１のサイズを抑えることも可能である。従って、必ずしも一時的メモリ２１が１サブフィールド分のデータを記憶する容量を持つ必要はない場合がある。
【００７８】
【発明の効果】
本発明の表示装置は、メモリ部分から読み出されるデータの読み出し速度を速くことができる。
本発明の表示装置は、フィールドメモリからの読み出し速度を抑えることができる。
本発明の表示装置は、維持期間を長くすること、サブフィールド数を増やすこと、もしくは、表示ライン数を増やすことができる。
【図面の簡単な説明】
【図１】図１は、本発明の多階調表示プラズマディスプレイの駆動装置の構成を示すブロック図である。
【図２】図２は、本発明のサブフィールド方法による駆動シーケンスの概略を示す図である。
【図３】図３は、入力される映像信号とプラズマディスプレイで表示する映像信号の概念図である。
【図４】図４は、プラズマディスプレイパネルの概略構成図を示す。
【図５】図５は、プラズマディスプレイパネルを駆動する駆動波形を示す。
【図６】図６は、本発明のサブフィールド方法による別の形態の駆動シーケンスの概略を示す図である。
【図７】図７は、本発明のサブフィールド方法による別の形態の駆動シーケンスの概略を示す図である。
【図８】図８は、従来のサブフィールド方法を用いる多階調表示プラズマディスプレイの駆動装置の構成を示すブロック図である。
【図９】図９は、従来のサブフィールド方法による駆動シーケンスを説明するための図である。
【符号の説明】
１０  駆動装置
１１  データ並び替え回路
１２  フィールドメモリ
１３  データ読み出し回路
１４  フィールドシーケンス発生回路
１５  駆動回路
１６  入力端子
１７  プラズマディスプレイパネル
２１  一時的メモリ
３１  走査ドライバ
３２  共通ドライバ
３３  データドライバ
３４  表示セル
【図１】
2004341438.tif 000003
【図２】
2004341438.tif 000004
【図３】
2004341438.tif 000005
【図４】
2004341438.tif 000006
【図５】
2004341438.tif 000007
【図６】
2004341438.tif 000008
【図７】
2004341438.tif 000009
【図８】
2004341438.tif 000010
【図９】
2004341438.tif 000011